(57)【要約】【課題】  両面モードにおいて裏面読取手段のシェーディング補正条件の生成に係る処理によって原稿の読取動作が遅延することを低減させる。【解決手段】  ユーザによって読取開始を指示される前に、設定されている読取モードが前記両面モードである場合は、ユーザによって読取開始を指示される前に第２基準部材が裏面読取位置に位置されるように第２透明部材が移動し、裏面読取手段は第２基準部材を読み取る。【選択図】  図４
2017055213.tif 000002
【特許請求の範囲】
【請求項１】
操作部と、
原稿が載置される原稿トレイと、
前記原稿トレイに載置された原稿を搬送する搬送手段と、
表面読取位置において、搬送されている前記原稿の表面を第１透明部材を介して読み取る表面読取手段と、
裏面読取位置において、搬送されている前記原稿の裏面を第２透明部材を介して読み取る裏面読取手段と、
第１基準部材と、
前記第２透明部材に設けられた第２基準部材と、
前記表面読取手段が前記第１基準部材を読み取ることにより得られた画像データに基づき前記表面読取手段のための第１シェーディング補正条件を設定し、前記裏面読取手段が前記第２基準部材を読み取ることにより得られた画像データに基づき前記裏面読取手段のための第２シェーディング補正条件を設定する設定手段とを有し、
前記第２透明部材は移動可能であり、
前記裏面読取手段が前記第２基準部材を読み取る場合は、前記第２基準部材が前記裏面読取位置に位置されるように前記第２基準部材は移動し、前記裏面読取手段が原稿を読み取る場合は、前記第２透明部材における前記第２基準部材が設けられていない部分が前記裏面読取位置に位置されるように前記第２基準部材は移動し、
両面モードが設定された状態において、ユーザが前記操作部を用いて読取開始を指示された場合は、前記表面読取手段が前記原稿の表面を読み取り、そして、前記裏面読取手段が前記原稿の裏面を読み取り、
片面モードが設定された状態において、ユーザが前記操作部を用いて読取開始を指示された場合は、前記表面読取手段が前記原稿の表面を読み取り、
ユーザによって読取開始を指示される前に、設定されている読取モードが前記両面モードである場合は、ユーザによって読取開始を指示される前に前記第２基準部材が前記裏面読取位置に位置されるように前記第２透明部材が移動し、前記裏面読取手段は前記第２基準部材を読み取り、
ユーザによって読取開始を指示される前に、設定されている読取モードが前記片面モードである場合は、前記第２基準部材が前記裏面読取位置に位置されるように前記第２透明部材が移動しない
ことを特徴とする原稿読取装置。
【請求項２】
さらに、前記原稿トレイに原稿が有るか否かを検知するセンサを有し、
前記センサの検知の結果に基づき前記原稿トレイに原稿が載置されたことを検知したことに応じて、前記設定されているモードを確認することを特徴とする請求項１に記載の原稿読取装置。
【請求項３】
さらに、デフォルトモードを設定する設定手段を有し、
前記デフォルトモードには両面モードまたは片面モードを設定することができることを特徴とする請求項１または２に記載の原稿読取装置。
【請求項４】
前記ユーザによって読取開始を指示された場合は、前記設定されているモードに基づき、表面読取手段およびまたは裏面読取手段を用いて前記原稿を読み取ることを特徴とする請求項１乃至３のいずれかに記載の原稿読取装置。
【請求項５】
ユーザによって読取開始を指示される前に、設定されている読取モードが前記両面モードである場合は、ユーザによって読取開始を指示される前に前記第２基準部材が前記裏面読取位置に位置されるように前記第２透明部材が移動し、前記裏面読取手段は前記第２基準部材を読み取らせ、その後に、前記第２透明部材における前記第２基準部材が設けられていない部分が前記裏面読取位置に位置されるように前記第２基準部材は移動することを特徴とする請求項１乃至４のいずれかに記載の原稿読取装置。
【発明の詳細な説明】
【技術分野】
【０００１】
本発明は、搬送されている原稿を読み取る原稿読取装置に関する。
【背景技術】
【０００２】
複写機、ファクシミリ装置等の画像形成装置には、画像読取装置（リーダ）が備えられている。また、自動原稿給紙装置（ＡＤＦ：ＡｕｔｏＤｏｃｕｍｅｎｔＦｅｅｄｅｒ）を備えた画像読取装置がある。なお、最近ではこのＡＤＦ側にも読取ユニットを設けて搬送パス上に原稿を搬送させることで、従来の画像読取装置側の読取ユニットによる表面とＡＤＦ側の読取ユニットによる裏面との両方の原稿画像を同時に読み取る両面同時読み構成のＡＤＦも存在している。裏面の読取ユニットも、表面同様にシェーディングを実施する必要がある。よって、裏面の読取ユニットの構成としてシェーディングに必要な裏面用基準白板を構成上もたなければならない。そこで、従来の製品では、搬送パス上の裏面読取ユニットの対向位置近辺に、表面上一部に裏面用基準白板を備えているプラテンガラス板を敷設してある。そして、プラテンガラス板を稼働可能とし、シェーディングを行う場合は、基準白板を読み取るためにその位置にプラテンガラス板を移動させる。プラテンガラス板は副走査方向前後に稼働可能であり、読取位置やシェーディング位置の複数個所へ移動させて停止させることが可能な構成となっている。さらに、裏面用基準白板をプラテンガラス板に接着する際に、裏面用基準白板を読取ユニットから見る際に、裏面ガラス表面上を搬送される原稿の原稿表面相当の高さになるようにしている。表面プラテンガラス面の表面用基準白板と同様に、読取ユニットから見てガラス面裏側、すなわち原稿搬送路面側に接着させている。そのため、原稿搬送路面側に基準白板厚み分が盛り上がる構成となっていた。
【０００３】
また、このようなＡＤＦを含む画像読取装置で原稿を読み取る際にも、圧板ブックモードジョブ時のように、ＦＣＯＴ（ＦｉｒｓｔＣｏｐｙＯｕｔＴｉｍｅ）を早くすることが求められている。特許文献１では、ＡＤＦ読取時に原稿を原稿台にセットした時にシェーディング動作を行い、１枚目原稿の読取時のシェーディング動作を省くことを可能としている。
【先行技術文献】
【特許文献】
【０００４】
【特許文献１】特開２０１０−３５１３６号公報
【発明の概要】
【発明が解決しようとする課題】
【０００５】
上記のような両面同時読み構成のＡＤＦでは、裏面読取ユニット側にシェーディング位置と原稿読取位置と大きく分けて２カ所存在することになる。プラテンガラス板がシェーディング位置にあると、裏面用基準白板の厚みにより搬送ローラ近傍では搬送空間側に盛り上がる構成となるので搬送しにくいことになる。よって、原稿搬送する場合、シェーディング位置ではない位置、すなわち原稿読取位置にプラテンガラス板を移動する必要があった。また、ジョブに応じて準備しなければならない処理について考えると、例えば、両面原稿を読む場合には、裏面読取ユニットとしても読取準備のためにシェーディング処理を実施する必要がある。そして、シェーディング処理の後に原稿読取位置（搬送位置）へプラテンガラス板を移動させる必要があった。一方で、片面原稿を読む場合には、裏面読取ユニットのシェーディング処理は不要である。プラテンガラス板としては搬送位置へ移動する必要があった。すなわち、ジョブが何であるかによりプラテンガラス板の移動すべき位置や処理が変わってくることになる。このような構成状況においても、ＤＦとしてのＦＣＯＴを早くすることが求められており、現状では、ジョブ開始後にジョブが片面ジョブなのか両面ジョブなのかを判断している。プラテンガラス板が移動している最中では、移動による振動や読取位置にいないことにより、そもそも原稿読取できないという影響があった。最近で、コストダウンのための自動原稿給紙装置の装置小型化により全体的に搬送路が短くなる傾向がある。そのため、原稿読取位置までの搬送路が短くなる構成をとることになる。こうした構成でジョブ開始同時にプラテンガラス板の所定位置への移動と原稿給紙搬送動作を同時に開始してしまうと、プラテンガラス板移動中に読取位置まで原稿が到達してしまう可能性がある。前述のようにガラス移動中では原稿読取はできないため、その結果、プラテンガラス板が所定位置へ移動するまでの時間を待つ必要がある場合があった。
【０００６】
また、前述のように、基準白板が原稿搬送路側に盛り上がる構成により、原稿搬送に対して紙詰まり等の影響を与える可能性があるため、プラテンガラス板を所定位置へ移動して停止した状態で原稿搬送、又は裏面原稿読取をするようにしていた。コストダウンのため、プラテンガラス板の駆動が搬送用モータと同一駆動として、その駆動に対して、正転駆動で搬送ローラを搬送方向へ駆動し、逆転駆動でプラテンガラス板を駆動させるような構成をとることもある。このような場合には、駆動源制約によりプラテンガラス板移動中には完全に搬送できない。よって、プラテンガラス板を移動させた後でなければ、原稿搬送できなくなるために、プラテンガラス板を移動させる時間を待たなければならない可能性があった。
【０００７】
こうして、プラテンガラス板の移動を待って原稿搬送を開始させると、ＤＦとしてのＦＣＯＴを早くすることに対して課題となっていた。
【０００８】
また、特許文献１では、ＡＤＦ読取時に原稿を原稿台にセットした時にシェーディング動作を行い、１枚目原稿の読取時のシェーディング動作を省くことを可能としている。しかしながら、表面裏面用に各読取ユニットを備える両面同時読み構成のＡＤＦに適用すると、原稿台にセットした時に裏面読取ユニット側もシェーディングを実施することになる。直後のジョブが片面ジョブである場合には、シェーディング動作している処理を停止して、搬送位置へプラテンガラス板を移動させ後でなければ原稿搬送開始できない。その結果、ＤＦとしてのＦＣＯＴを早くすることに対して課題となっていた。
【０００９】
また、ＡＤＦの小型化に伴い、ＡＤＦの搬送パスが短くなり原稿読取位置までの距離も短くなると、ガラス移動にかかる時間が影響し原稿給紙開始できるまでの時間が遅れて、その結果、ＤＦとしてのＦＣＯＴを早くすることに対して課題となる可能性があった。
【００１０】
本発明は、両面モードにおいて裏面読取手段のシェーディング補正条件の生成に係る処理によって原稿の読取動作が遅延することを低減させることを目的とする。
【課題を解決するための手段】
【００１１】
上記目的を達成するために、本発明の原稿読取装置は、操作部と、原稿が載置される原稿トレイと、前記原稿トレイに載置された原稿を搬送する搬送手段と、表面読取位置において、搬送されている前記原稿の表面を第１透明部材を介して読み取る表面読取手段と、裏面読取位置において、搬送されている前記原稿の裏面を第２透明部材を介して読み取る裏面読取手段と、第１基準部材と、前記第２透明部材に設けられた第２基準部材と、前記表面読取手段が前記第１基準部材を読み取ることにより得られた画像データに基づき前記表面読取手段のための第１シェーディング補正条件を設定し、前記裏面読取手段が前記第２基準部材を読み取ることにより得られた画像データに基づき前記裏面読取手段のための第２シェーディング補正条件を設定する設定手段とを有し、前記第２透明部材は移動可能であり、前記裏面読取手段が前記第２基準部材を読み取る場合は、前記第２基準部材が前記裏面読取位置に位置されるように前記第２基準部材は移動し、前記裏面読取手段が原稿を読み取る場合は、前記第２透明部材における前記第２基準部材が設けられていない部分が前記裏面読取位置に位置されるように前記第２基準部材は移動し、両面モードが設定された状態において、ユーザが前記操作部を用いて読取開始を指示された場合は、前記表面読取手段が前記原稿の表面を読み取り、そして、前記裏面読取手段が前記原稿の裏面を読み取り、片面モードが設定された状態において、ユーザが前記操作部を用いて読取開始を指示された場合は、前記表面読取手段が前記原稿の表面を読み取り、ユーザによって読取開始を指示される前に、設定されている読取モードが前記両面モードである場合は、ユーザによって読取開始を指示される前に前記第２基準部材が前記裏面読取位置に位置されるように前記第２透明部材が移動し、前記裏面読取手段は前記第２基準部材を読み取り、ユーザによって読取開始を指示される前に、設定されている読取モードが前記片面モードである場合は、前記第２基準部材が前記裏面読取位置に位置されるように前記第２透明部材が移動しないことを特徴とする。
【発明の効果】
【００１２】
本発明によれば、両面モードにおいて裏面読取手段のシェーディング補正条件の生成に係る処理を、ユーザが操作部を用いて読取開始を指示する前に行うことにより、両面モードにおいて裏面読取手段のシェーディング補正条件の生成に係る処理によって原稿の読取動作が遅延することを低減させることができる。
【図面の簡単な説明】
【００１３】
【図１】画像読取装置及び自動原稿給紙装置の断面図の一例である。
【図２】画像読取装置及び自動原稿給紙装置のブロック図である。
【図３】自動原稿給紙装置の裏面読取ユニット近傍の裏面読取用プラテンガラス板の動作の一例である。
【図４】裏面読取用プラテンガラス板１９の移動判断に関するフローチャートである。
【図５】操作部画面を示す図である。
【図６】自動原稿給紙装置に原稿がセットされる様子を説明する図である。
【発明を実施するための形態】
【００１４】
以下、本発明の一実施例を図面にそって説明する。
【００１５】
［画像読取装置および自動原稿給紙装置による画像読取シーケンス］
本実施例の装置は、図１に示すように、画像読取装置（以下リーダ）２００、自動原稿給紙装置（以下ＡＤＦ）１００、及びコントローラ部４００（図示しない）から構成されている。図１はＡＤＦ１００及びリーダ２００を模式的に示す断面図である。
【００１６】
［ＡＤＦからの片面原稿画像読取処理］
ＡＤＦ１００を使用した片面原稿画像読取処理について説明する。ＡＤＦによる片面原稿について原稿画像読取ジョブが開始されると、スキャナユニット２０９が、表面用の基準部材である表面用基準白板２１９直下の位置まで移動し、シェーディング補正条件を生成する処理が実施される。まず、スキャナユニット２０９が表面用基準白板２１９を読み取り、画像データを出力する。リーダ用ＣＰＵ２２１は、この画像データに基づき表面用のシェーディング補正条件を生成し、画像処理部２２５に設定する。
【００１７】
シェーディング補正条件を生成する処理を実施後、スキャナユニット２０９は流し読みガラス２０１直下の位置まで移動し、原稿が表面読取位置に到達するまで待機する。
【００１８】
裏面読取用プラテンガラス板１９は図３に示すように移動可能である。片面原稿のＡＤＦジョブの場合、裏面読取ユニット１８に対して、裏面読取用プラテンガラス板１９は図３（Ａ）に示す位置、すなわち、裏面用の基準部材である裏面用基準白板２４が裏面読取位置から外れた読取位置（搬送位置）２２にいる必要がある。図３（Ｂ）では、裏面用基準白板２４を読み取る位置に裏面読取用プラテンガラス板１９が移動している。この状態では、読取位置近傍で搬送ローラ２１と裏面読取用プラテンガラス板１９の間隔が狭くなる。よって、裏面用基準白板２４に原稿が引っ掛かり原稿の紙詰まりする可能性がある。したがって、原稿を読み取る場合は、裏面読取用プラテンガラス板１９は図３（Ａ）に示す位置に移動させる必要がある。
【００１９】
片面原稿のＡＤＦジョブの場合には、裏面読取用プラテンガラス板１９を読取位置（搬送位置）２２に移動させて、原稿トレイ３０上に載置された原稿Ｓの搬送が開始される。つまり、裏面読取用プラテンガラス板１９に設けられた裏面用基準白板２４が裏面読取位置から外れ、裏面読取用プラテンガラス板１９の透明部分が裏面読取位置になるように、裏面読取用プラテンガラス板１９が移動されてから原稿Ｓの搬送が開始される。
【００２０】
原稿Ｓの搬送が開始されると、ＡＤＦ１００では、原稿Ｓの原稿面に給紙ローラ１が落下し回転開始し、給紙ローラ１が最上面の原稿紙面に到達する。これにより、原稿束の最上面の原稿が給紙される。原稿トレイ３０に載置されている原稿束から最上面の原稿を１枚ずつ給紙搬送する際に、原稿が重送されてしまうことを防ぐために、分離ローラ２と分離パッド８と給紙ローラ１とで給紙搬送を実施する。こうして、給紙ローラ１によって給紙搬送された原稿は分離ローラ２と分離パッド８の作用によって１枚に分離される。この分離処理動作は周知の分離処理技術によって実現されている。
【００２１】
分離ローラ２と分離パッド８によって分離された原稿は、レジストローラ３へ搬送されてレジストローラ３に突き当てられた状態で、一旦原稿搬送が停止する。なお、一旦停止の際に原稿がレジストローラ３に突き当てられた状態でさらに少量搬送させることで、原稿先端の一部が上側に盛り上げられて空間（ループ）を形成される。こうして、原稿先端側にループが形成されて原稿の搬送における斜行が解消される。
【００２２】
レジストローラ３の下流側には、原稿読取前ローラ４があり、このローラにより原稿流し読みプラテンガラス２０１近傍方向へ搬送する。原稿流し読みプラテンガラス２０１は透明部材であり、この透明部材を介して原稿の表面が読み取られる。コントローラ部４００での原稿読取による画像データの受け入れの準備が整った状態で、コントローラ部４００から画像読取要求通知される。この画像読取通知要求をリーダ部２００が受信すると、レジストローラ３でループ形成して一旦停止状態の原稿がレジストローラ３の下流に向けて搬送再開される。
【００２３】
レジストローラ３下流へ搬送された原稿は、原稿読取前ローラ４に送られる。さらに、原稿読取前ローラ４を通過し、原稿読取プラテンローラ５の近傍にある原稿流し読みプラテンガラス２０１の原稿読取位置まで送られる。ここで、原稿流し読みプラテンガラス２０１の原稿読取位置に搬送される際に、原稿読取先端位置を検知するため、リードセンサ１４により原稿先端が検知される。リードセンサ１４のＯＮタイミングと原稿流し読みプラテンガラス２０１の原稿読取位置の距離を、原稿読取前ローラ４および原稿読取プラテンローラ５の駆動源となる搬送モータ（図示せず）のクロックにより計数する。これにより、原稿流し読みプラテンガラス２０１上の原稿読取位置を正確に計測し、計測された原稿読取位置を通過するタイミングが原稿表面の原稿画像先端基準位置として決定される。決定された原稿画像先端基準で、スキャナユニット２０９により原稿表面流し読み画像取り込みが実施される。
【００２４】
分離後センサ１２で原稿後端を検知した際に、原稿トレイ３０上の次原稿の有無を原稿有無検知センサ１６で検知する。原稿有無検知センサ１６で検知された次原稿の有無情報がコントローラ部４００に通知される。原稿が搬送されることで、原稿後端が分離ローラ２、レジストローラ３、原稿読取前ローラ４、原稿読取プラテンローラ５、原稿読取後ローラ６を順に通過し、排紙センサ１５で原稿後端を検知する。この排紙センサ１５により、このタイミングをトリガとして、原稿後画像後端が検知された所定時間後に排紙ローラ７から原稿排紙トレイ３１へ排出されて、原稿１枚の片面原稿読取搬送シーケンスは終了となる。
【００２５】
ジョブ設定で枚数設定分だけを読み取る場合を除き、基本的には原稿トレイ３０に原稿がなくなるまで、前述のように、原稿給紙、原稿画像取り込み、原稿排出を繰り返すことになる。
【００２６】
原稿後端を分離後センサ１２により検知した際に原稿無し状態を検知した場合には、搬送中の原稿を最終原稿と判断する。そして、最終原稿が原稿排紙トレイ３１に排出されるのを待ち、各ローラの駆動源となる搬送モータを停止し、給紙ローラ１を元の位置に戻し原稿読取ジョブは終了する。
【００２７】
［両面原稿読取処理］
原稿の両面読取処理について説明する。原稿を搬送する点では、原稿給紙開始、分離処理、斜行補正処理、排紙処理の順で処理されることは片面原稿処理同様である。両面同時読取処理を実施するために、原稿読取前に表面読取ユニットによるシェーディング処理を含む表面画像読取準備と、裏面読取ユニットによるシェーディング処理を含む裏面画像読取準備をする必要がある。
【００２８】
［スキャナユニットによる読取処理］
表面読取部であるリーダ２００の原稿台ガラス２０２上の原稿読取については、光学スキャナユニット２０９が図１の矢印の副走査方向に走査することで、原稿画像情報を光学的に読み取ることで実施している。また、ＡＤＦ１００上の原稿については、原稿トレイ３０上の原稿を一枚ずつ搬送させる。そして、光学スキャナユニット２０９をＡＤＦ１００の原稿流し読みプラテンガラス２０１近傍の原稿読取位置に来るように移動させて、原稿読取位置で搬送中の原稿を読み取る。原稿を読み取る光学系は、原稿流し読みガラス２０１、原稿台プラテンガラス２０２、光源ランプ２０３と折り返しミラー２０４を有するスキャナユニット２０９、折り返しミラー２０５、２０６、レンズ２０７、ＣＣＤセンサユニット２１０で構成される。読み取られた画像情報が光電変換されてコントローラ部４００（図示しない）に画像データとして入力される。
【００２９】
表面用基準白板２１９は、表面画像読取用シェーディング処理用に白レベルの基準データを作成するための白板である。原稿画像読取ジョブ開始直後に、スキャナユニット２０９を基準白板２１９直下まで移動し、表面用基準白板２１９を読み取ることでシェーディングを実施する。
【００３０】
［ブロック図の説明］
図２はＡＤＦ１００、リーダ２００、コントローラ部４００の制御ブロック図である。
【００３１】
図２のリーダ２００のブロック図について説明する。リーダ用ＣＰＵ２２１は、ＡＤＦ用ＣＰＵ１０１と制御用通信線１５１を介してシリアル通信を行い、ＡＤＦ１００との間でＡＤＦの各種制御データの授受を行うようになっている。また、前述のリードセンサ１４のように、原稿読取の基準となる原稿先端信号も制御用通信線１５１を通してリーダ２００に通知される。リーダＲＯＭ２２２に格納される制御用プログラムに従い、プログラム制御用の入力データや作業用データ用として使用されるリーダ用ＲＡＭ２２３を使用してリーダ用ＣＰＵ２２１はリーダ２００を制御している。
【００３２】
２２６は光学系モータドライバ部であり、光学系駆動モータを駆動させるためのドライバ回路である。リーダ２００には、表面用光源２０３、ＣＣＤセンサユニット２１０が接続されている。リーダ２００用ＣＰＵ２２１は、光学系モータドライバ部２２６を制御し、制御通信線１５４を介してＣＣＤセンサユニット２１０を制御する。画像処理部２２５は、画像データに対してことでシェーディング補正などの画像読取処理を実施する。画像処理部２２５は、ＣＣＤセンサユニット２１０から出力された画像データに対して、表面用のシェーディング補正条件を用いてシェーディング補正を行う。さらに、画像処理部２２５は、シェーディング補正以外の変倍処理などの他の画像処理も行う。ＣＣＤセンサユニット２１０で読取られた読取画像データは読取画像処理部２２５を介してリーダ用画像メモリ２２９に転送され、さらに、コントローラ部４００へビデオ画像信号線１５３を介して転送される。
【００３３】
次に、図２のＡＤＦ１００のブロック図から説明する。中央演算処理装置である制御手段（以下、ＣＰＵ）１０１、ＡＤＦ１００の制御用プログラムデータが格納されるＲＯＭ１０２、プログラム制御用の入力データや作業用データ用として使用されるＲＡＭ１０３、出力ポート、及び、入力ポートを備えている。出力ポートには、搬送パス内に位置する各種搬送用ローラを駆動する各種搬送用モータ１０４、各種駆動用ソレノイド１０７、駆動源のＯＮ・ＯＦＦを行う各種駆動用クラッチ１０８が接続されている。入力ポートには、搬送パス内に位置する各種搬送用センサ１０５がそれぞれ接続されている。
【００３４】
図１に示されるリードセンサ１４、排紙センサ１５、分離後センサ１２、原稿有無検知センサ１６等の各種センサについては図２の各種搬送用センサ１０５で表されている。図１に図示しない駆動源等のモータは図２の各種搬送用モータ１０４、同様に図示しないソレノイドおよびクラッチについては各種駆動用ソレノイド１０７、各種駆動用クラッチ１０８で表されている。ＡＤＦ用ＣＰＵ１０１は、バスラインを介して接続されるＲＯＭ１０２に格納された制御プログラムにしたがって紙搬送を制御する。なお、ＡＤＦ１００側にも裏面用読取ユニット１８が接続されている。裏面用読取ユニット１８は、ＣＩＳセンサユニット１１０を内蔵しており、ＡＤＦ用ＣＰＵ１０１の制御指示により、ＣＩＳセンサユニット１１０を制御することで画像読取を実施する。原稿搬送させるため、又は裏面用読取のためにリーダ用ＣＰＵ２２１からのコマンド指示に従って、プラテンガラス板駆動用モータ１１１を駆動させることで裏面読取ユニット１８の対向位置にある裏面読取用プラテンガラス板１９を所望の位置に移動させる。両面ジョブ時には、原稿裏面画像読取のためにＡＤＦ用ＣＰＵ１０１は裏面用画像処理部１０９を介してＣＩＳセンサユニット１１０により、裏面用読取ユニット近傍の搬送パスを搬送される原稿の裏面画像を読み取る。裏面画像の画像データは裏面用シェーディング補正部１１２において裏面用のシェーディング補正条件を用いてシェーディング補正される。そして、シェーディング補正された画像データは画像処理部１０９に入力され、画像処理部１０９は変倍処理などの画像処理を行う。ＣＩＳセンサユニット１１０により読み取られた原稿の裏面画像はリーダ―ＡＤＦ間ビデオ画像信号線１５４を介してリーダ用画像メモリ２２９に転送され、さらに、コントローラ部４００へビデオ画像信号線１５３を介して転送される。
【００３５】
裏面用シェーディング補正部１１２において使用される裏面用のシェーディング補正条件は、ＣＩＳセンサユニット１１０が裏面用白色基準板１８を読み取ることにより得られた画像データに基づき、ＡＤＦ用ＣＰＵ１０１によって生成される。そして、ＡＤＦ用ＣＰＵ１０１が生成した裏面用のシェーディング補正条件を裏面用シェーディング補正部１１２に設定する。
【００３６】
紙搬送を実現するために、リーダ用ＣＰＵ２２１はＡＤＦ用ＣＰＵ１０１に制御用通信線１５１を介して紙搬送制御についてのコマンドを指示する。指示されたＡＤＦ用ＣＰＵ１０１が搬送パス上に設置されている各種搬送用センサ１０５をモニタし、各種搬送用モータ１０４、各種駆動用ソレノイド１０７、各種駆動用クラッチ１０８を紙搬送シーケンスとして順次駆動することで、紙搬送を実現している。このように、マスターＣＰＵとしてのリーダ用ＣＰＵ２２１は、スレーブＣＰＵとしてのＡＤＦ用ＣＰＵ１０１にコマンドを指示することで紙搬送を実現しており、さらにリーダ２００の画像読取制御を実施している。
【００３７】
図２の画像処理用コントローラ部４００について説明する。コントローラ部４００は、リーダ２００、ＡＤＦ１００を含む画像読取システムとしての全体を制御する部分である。制御部４０１は、コントローラ用ＲＯＭ４０３に格納されるプログラムに従ってコントローラ用ＲＡＭ４０２を使用して、操作部４０７からのユーザー設定に応じて画像読取ジョブ開始のコマンドをリーダ２００／ＡＤＦ１００に発行する。圧板ジョブ時には、リーダ用ＣＰＵ部２２１により、タイミング調整されて、コントローラインターフェース制御通信線１５２を介して、原稿読取先端基準となる画像先端信号がコントローラ部４００に通知される。また、ＡＤＦジョブ時には、ＡＤＦ１００で検知される各種搬送用センサ１０５の一つであるリードセンサ１４による原稿先端検知信号の通知タイミングをトリガとして、リーダ用ＣＰＵ部２２１によりタイミングが調整される。ＡＤＦジョブ時も、圧板ジョブ同様に、コントローラインターフェース制御通信線１５２を介して原稿読取先端基準となる画像先端信号がコントローラ部４００に通知される。こうして通知された原稿読取先端基準信号をトリガとして、リーダ用画像メモリ２２９から転送されてくる原稿画像データは、各種画像処理補正回路４０４により変倍処理や画像回転処理、および各種の画像フィルタ処理等の各種画像処理が施される。そして最終原稿画像データとしてコントローラ内画像メモリ４０５に格納される。
【００３８】
［裏面読取用プラテンガラス板の移動判断制御］
原稿が裏面読取ユニット１８近傍位置を通過する際に、裏面読取用プラテンガラス板１９が裏面用基準白板２４の位置にいると、裏面用基準白板２４と搬送ローラ２１との間隔が狭くなる。よって、原稿搬送する際に原稿が裏面用基準白板２４に引っ掛かり、紙詰まりが発生する可能性がある。そこで、原稿搬送する際には裏面読取用プラテンガラス板１９を読取位置（搬送位置）側に確実に移動させた後でなければ給紙開始できない。ただし、裏面読取用プラテンガラス板１９が移動終了を待って原稿給紙開始するのでは、ＡＤＦのＦＣＯＴを早くさせるという要望に対して都合が悪い。そこで、本実施では、裏面読取用プラテンガラス板１９をジョブ開始する前から先行して動作させる。
【００３９】
以下、図４のフローチャートを用いて、裏面読取用プラテンガラス板１９の移動判断について説明する。リーダ用ＣＰＵ２２１がマスターＣＰＵとして、ＡＤＦ用ＣＰＵ１０１がスレーブ用ＣＰＵとして、リーダ用ＣＰＵ２２１からＡＤＦ用ＣＰＵ１０１に対してコマンド指示を出す。リーダ用ＣＰＵ２２１はセンサ情報や割り込み信号等のＡＤＦ１００の制御に関連する所定情報をＡＤＦ用ＣＰＵ１０１との通信処理で受信する。そして、リーダ用ＣＰＵ２２１がフローチャートに従って制御シーケンスを実行する。
【００４０】
図６はＡＤＦ１００にユーザーが原稿Ｓをセットする様子を模式的にあらわしている。原稿Ｓが原稿トレイ３０にセットされると、原稿有無検知センサ１６が原稿有を検知し、ＡＤＦ用ＣＰＵ１０１は、リーダ用ＣＰＵ２２１に原稿有の情報を通知する。リーダ用ＣＰＵ２２１は、ＡＤＦ用ＣＰＵ１０１からの原稿有無情報に基づきＡＤＦ上に原稿が載置されたか否かを判断する（Ｓ４００）。原稿セットされたことを判断すると、ユーザー個別設定モードがあるかを判断する（Ｓ４０１）。
【００４１】
ここでユーザー設定モードについて、図５の操作部設定画面４０７を用いて説明する。予めユーザーはコピー作業等のワークフローが固定化している場合、「ユーザー個別設定モード」をもつことはメリットがある可能性が高い。「ユーザー個別設定モード（デフォルトモード）」は、電源起動時やジョブ終了直後の機能設定クリア解除後に、頻繁に使用する機能設定についてデフォルト設定するものである。そこで、本実施例の装置では、「ユーザー個別設定モード」機能を備える。図５（Ａ）の操作部４０７で「ユーザー個別設定モード」というキーを押すことで、「ユーザー個別設定モード」の設定画面（図５の（Ｂ））が表示される。「ユーザー個別設定モード」の設定画面（図５の（Ｂ））では、ユーザーが頻繁に使用する複合機設定モードを電源起動直後にデフォルト設定として設定された状態で起動するように登録することが可能である。なお、必ずこの設定画面で登録された内容でジョブを実施しなければならないということではなく、ユーザーの要望に応じてジョブ開始前に設定を変更することは可能である。この登録画面で設定できる設定モードの一例を図５（Ｂ）に示す。図５（Ｂ）の操作部画面では、片面モード／両面モードの選択、カラー／白黒の色モード選択、倍率設定、用紙選択としてのデフォルトカセット段指定等が登録できるようになっている。なお、ここで設定登録されたモードは、コントローラ制御部４０１により、コントローラ用バックアップメモリ部４０６に記憶される。記憶されると同時に、リーダ−コントローラ制御用インターフェース通信線１５２を介して、リーダ用ＣＰＵ２２１に通知されて、リーダ用ＣＰＵ２２１は、ユーザー個別設定モードの設定情報を認識することが可能となる。また、図５（Ｃ）の操作部画面に示すように、既にユーザーが片面モード／両面モードの設定をしている場合にも、リーダ−コントローラ制御用インターフェース通信線１５２を介して、リーダ用ＣＰＵ２２１に通知される。よって、リーダ用ＣＰＵ２２１は、片面モード／両面モードの設定情報を知ることができる。
【００４２】
こうしてリーダ用ＣＰＵ２２１は片面モードなのか／両面モードなのかという「ユーザー個別設定モード」があるかを確認する（Ｓ４０２）。「ユーザー個別設定モード」がある場合には、前述のように、コントローラ用制御部４０１からリーダ−コントローラ制御用インターフェース通信線１５２を介して、リーダ用ＣＰＵ２２１に設定情報が通知されているので、この通知された情報を確認する（Ｓ４０２）。「ユーザー個別設定モード」がない、又は設定されていない場合にも、前述のように、既にユーザーにより操作部４０７から両面モード／片面モードの設定が済んでいる場合がある。この場合にも、コントローラ用制御部４０１からリーダ−コントローラ制御用インターフェース通信線１５２を介して、リーダ用ＣＰＵ２２１に設定情報が通知されているので、両面／片面設定モードが設定済か否かを判断する（Ｓ４０３）。Ｓ４０４で設定されている読取モードが片面設定モードか両面設定モードか判断する。「ユーザー個別設定モード」でデフォルト設定として片面モードが設定されている、又は、既に操作部に片面モードが設定されている場合には、リーダ用ＣＰＵ２２１がＡＤＦ用ＣＰＵ１０１にコマンド発行することで、裏面読取用プラテンガラス板１９を読取位置（搬送位置）へ移動させる（Ｓ４０９）。なお、裏面読取用プラテンガラス板１９を読取位置（搬送位置）へ移動後の処理は後述する。Ｓ４０４で両面設定モードが設定されていれば、両面ジョブの準備として、裏面読取ユニット１８に裏面読取の準備をさせるために、リーダ用ＣＰＵ２２１がＡＤＦ用ＣＰＵ１０１にコマンド発行することで、裏面読取用プラテンガラス板１９を裏面読取用基準白板位置、すなわち、シェーディング位置へ移動させて（Ｓ４０５）、裏面読取ユニット１８によるシェーディング補正条件を生成する処理を開始させる（Ｓ４０６）。裏面読取ユニット１８は裏面読取要基準白板を読み取り画像データを出力する。
【００４３】
リーダ用ＣＰＵ２２１はＡＤＦ用ＣＰＵ１０１からの通知情報により、裏面読取ユニット１８によるシェーディング補正条件を生成する処理が終了するのを待ち（Ｓ４０７）、ＡＤＦ用ＣＰＵ１０１から終了通知を受信することにより、シェーディング補正条件を生成する処理終了したことを検知すると、シェーディング補正条件を生成する処理解除用監視タイマーを開始させる（Ｓ４０８）。このタイマーは監視用タイマーとして、両面ジョブを想定して裏面読取ユニット１８に読取準備のためにシェーディング補正条件を生成する処理実施させたものの、いつまでたってもユーザーによりジョブが開始されない場合に、シェーディング補正条件を生成する処理状態を解除するためのタイムアウト処理に使用する。シェーディング補正条件を生成する処理が終了したので原稿搬送できるようにするために、リーダ用ＣＰＵ２２１がＡＤＦ用ＣＰＵ１０１にコマンド発行することで、裏面読取用プラテンガラス板１９を読取位置（搬送位置）へ移動させる（Ｓ４０９）。
【００４４】
Ｓ４０９以降では、裏面読取用プラテンガラス板１９を読取位置（搬送位置）へ移動させた後の処理になる。
【００４５】
ジョブ開始前の状況なので、ユーザーが片面設定モードだったのを両面設定モードに変更する場合がある。そのため、ユーザーによるモード設定の切替を想定して、操作部で両面設定モードに切り替えられたかを確認する（Ｓ４１０）。このように、最初に設定されていたモードから変更されたとしても、ジョブ開始前に先行して裏面読取用プラテンガラス板１９を所定の位置へ移動させることが、ＡＤＦジョブでのＦＣＯＴ改善になる。両面モード設定への切替の監視は、コントローラ用制御部４０１がユーザーにより両面設定モードに切り替えられたか否かを判断する。切り替えられた場合にリーダ−コントローラ制御用インターフェース通信線１５２を介して、リーダ用ＣＰＵ２２１に設定情報を通知する。両面設定モードに切り替えられたことをリーダ用ＣＰＵ２２１が判断して、切り替えられた場合には、裏面読取ユニット１８に裏面読取の準備をさせるために、タイムアウト用の監視タイマーが動作している場合には監視タイマーを停止し（Ｓ４１１）、裏面読取用プラテンガラス板１９をシェーディング位置へ移動させる（Ｓ４０５）。裏面読取用プラテンガラス板１９をシェーディング位置に移動させた後の処理は、前述と同様のため、説明を割愛する。
【００４６】
Ｓ４１０で両面設定モードに切り替えがなければ、監視タイマーが動作中かを判断する（Ｓ４１２）。もし、監視タイマーが動作中でなければ、片面設定モードジョブの準備として裏面読取用プラテンガラス板１９を読取位置（搬送位置）へ移動させた後の状態なので、Ｓ４１４へ進む。監視タイマーが動作中ならば、タイマーが所定時間経過したか否か（タイムアウトしたか）を判断する（Ｓ４１３）。タイムアウトしていたら、所定時間経過してもユーザーによるジョブ開始されていないと判断する。さらに、裏面読取用シェーディング補正条件を生成する処理していたかを判断して（Ｓ４１６）、裏面読取用シェーディング補正条件を生成する処理していた場合は、裏面シェーディング設定を解除して（Ｓ４１８）裏面読取用プラテンガラス板移動判断を終了する（Ｓ４１９）。一方、裏面読取用シェーディング補正条件を生成する処理していなかった場合は、裏面読取用プラテンガラス板移動判断を終了する（Ｓ４１９）。
【００４７】
Ｓ４１３でタイムアウトしていない場合には、ユーザーによりセットされた原稿Ｓが除去されたか否かを判断する（Ｓ４１４）。実際には、図６の原稿有無検知センサをＡＤＦ用ＣＰＵ１０１が監視している。リーダ用ＣＰＵ２２１は原稿有無情報を通知されることで原稿有無情報を判断している。原稿無しを検知されるとＡＤＦ用ＣＰＵ１０１からの通知によりリーダ用ＣＰＵ２２１は、原稿Ｓが原稿トレイ３０から除去されたと判断して、Ｓ４１６へ進む。Ｓ４１６以降については前述同様のため説明を割愛する。Ｓ４１４で原稿が除去されていない場合には、操作部を用いてユーザーによりジョブ開始（読取開始）が指示されたか否かを判断する（Ｓ４１５）。実際には、コントローラ用制御部４０１からリーダ−コントローラ制御用インターフェース通信線１５２を介して、ジョブ開始の通知を受信することで、リーダ用ＣＰＵ２２１はジョブ開始を判断する。ジョブ開始していない場合には、Ｓ４１０に戻り、再度、途中で両面設定モードに変更されたかの監視、監視タイマーによるタイムアウトの監視、原稿除去されたか否かの判断を繰り返す。ジョブ開始された場合には、リーダ用ＣＰＵ２２１はリーダ部２００、ＡＤＦ部１００に対してジョブ開始処理を実施して（Ｓ４１７）裏面読取用プラテンガラス板移動判断を終了する（Ｓ４１９）。
【００４８】
こうして、予めユーザーにより設定されているユーザー個別設定モードの中の片面設定モード／両面設定モードの情報により、ジョブ開始前に先行して裏面読取用プラテンガラス板１９を所定位置へ移動させることができる。この結果、裏面読取用プラテンガラス板１９の移動に掛かる時間を短縮することでき、ＡＤＦジョブでのＦＣＯＴを短縮することができる。
【符号の説明】
【００４９】
１００  自動原稿給紙装置（ＡＤＦ）
２００  画像読取装置（リーダ）
１８  裏面用画像読取ユニット
１９  裏面読取用プラテンガラス板
２４  裏面用基準白板、
【図１】
2017055213.tif 000003
【図２】
2017055213.tif 000004
【図３】
2017055213.tif 000005
【図４】
2017055213.tif 000006
【図５】
2017055213.tif 000007
【図６】
2017055213.tif 000008